(57)【要約】      （修正有）【課題】衣類などの対象物におけるデザイン変更を容易ならしめ、かつ、そのデザインを発光させるなど変化させることを可能とする発光装置を提供する。【解決手段】発光装置１は、可燒性を有する発光シート１０と、制御部２０からなる。発光シート１０は、発光面と伝達面を有し、２つの面を挟むように、シート側接続部１５と、着脱部材１７が設けられる。制御部２０は、指令部２１と、シート側接続部１５へと接続させる伝送路２３が設けられる。【選択図】図１
0003179154.tif 000002
【実用新案登録請求の範囲】
【請求項１】
可撓性を有するシート状の部材であり、外部からの指令を受けて発光する発光面、および、該発光面へと指令を伝達させる伝達路が形成された伝達面、を有する発光シートと、
前記発光シートの発光面を発光させるための指令を出力可能な指令部、および、前記発光シートの伝達面に設けられたシート側接続部へと接続される所定長さの伝送路が設けられてなる制御部と、からなり、
前記発光シートには、前記発光面との間に前記伝達面を挟む位置関係で、前記シート側接続部、および、対象物への着脱を実現する着脱部材が設けられている
ことを特徴とする発光装置。
【請求項２】
前記発光シートには、前記伝達面との間に前記発光面を挟む位置関係で、該発光面からの光を透過可能な保護シートが設けられている
ことを特徴とする請求項１に記載の発光装置。
【考案の詳細な説明】
【技術分野】
【０００１】
本考案は、対象物に対して着脱可能に構成された発光装置に関する。
【背景技術】
【０００２】
従来から、Ｔシャツなどの衣類では、イラストなどのデザインが施されている。
【考案の概要】
【考案が解決しようとする課題】
【０００３】
しかし、この種の衣類では、そのデザインを変更することはできず、また、施されたデザインを発光させるなど変化させることもできない。
本考案は、このような課題を解決するためになされたものであり、その目的は、衣類などの対象物におけるデザイン変更を容易ならしめ、かつ、そのデザインを発光させるなど変化させることを可能とする技術を提供することである。
【課題を解決するための手段】
【０００４】
上記課題を解決するため第１の構成（請求項１）は、可撓性を有するシート状の部材であり、外部からの指令を受けて発光する発光面、および、該発光面へと指令を伝達させる伝達路が形成された伝達面、を有する発光シートと、前記発光シートの発光面を発光させるための指令を出力可能な指令部、および、前記発光シートの伝達面に設けられたシート側接続部へと接続される所定長さの伝送路が設けられてなる制御部と、からなる。
【０００５】
そして、前記発光シートには、前記発光面との間に前記伝達面を挟む位置関係で、前記シート側接続部、および、対象物への着脱を実現する着脱部材が設けられている。
このように構成された発光装置であれば、着脱部材により着脱可能なシート状の発光シートを衣類など対象物に着脱することができるため、発光面のデザインを異ならせたものを複数用意しておくことにより、発光シートを取り替えて容易にデザインを変更することができる。そして、この発光面は、制御部からの指令を受けて発光することから、発光面のデザインを発光させるといった変化を実現することもできる。
【０００６】
なお、この構成における発光面は、シート状の部材に形成できるものであればよく、発光ダイオード（ＬＥＤ）やエレクトロルミネセンス（ＥＬ）などで形成すればよい。
また、着脱部材としては、対象物への着脱を実現できるものであればよく、例えば、対象物が衣類であれば、面ファスナーなどを採用すればよく、対象物の材質に応じて吸盤や粘着剤などを採用すればよい。
【０００７】
また、上記構成では、以下に示す第２の構成(請求項２)のようにするとよい。
第２の構成において、前記発光シートには、前記伝達面との間に前記発光面を挟む位置関係で、該発光面からの光を透過可能な保護シートが設けられている。
【０００８】
この構成であれば、発光シートにおいて伝達面との間に発光面を挟む位置関係で保護シートが設けられているため、発光面への直接的な接触による損傷を防止することができる。
【図面の簡単な説明】
【０００９】
【図１】発光装置の全体構成を示す図
【図２】発光シートの積層関係を示す図
【図３】制御部の一部要部を示す図（１／２）
【図４】制御部の一部要部を示す図（２／２）
【考案を実施するための形態】
【００１０】
以下に本考案の実施形態を図面と共に説明する。
（１）全体構成
発光装置１は、図１に示すように、発光シート１０と、制御部２０と、からなる。
【００１１】
発光シート１０は、可撓性を有するシート状の部材であり、図１,図２に示すように、外部からの指令を受けて発光する発光面１１と、発光面１１へと指令を伝達させる伝達路が形成された伝達面１３と、制御部２０からの指令を入力すべく伝達面１３側に設けられたシート側接続部１５と、が形成されている。
【００１２】
なお、発光面１１は、シート状の部材に発光素子を配置してイラストなどをデザインしたものであり、本実施形態では、エレクトロルミネセンス（ＥＬ）などで形成されているが、発光ダイオード（ＬＥＤ）など別の素子により形成してもよい。
【００１３】
また、この発光シート１０においては、発光面１１との間に伝達面１３を挟む位置関係で、シート側接続部１５、および、対象物への着脱を実現する着脱部材１７が設けられている。この着脱部材１７は、対象物への着脱を実現できるものであり、本実施形態では、衣類を対象物とすべく面ファスナーが採用されているが、対象物の材質に応じて、吸盤や粘着剤などを採用してもよい。
【００１４】
さらに、この発光シート１０には、伝達面１３との間に発光面１１を挟む位置関係で、発光面１１からの光を透過可能な保護シート１９が設けられている。
制御部２０は、発光シート１０の発光面１１を発光させるための指令を出力可能な指令部２１、および、発光シート１０のシート側接続部１５へと接続される所定長さの伝送路２３が設けられてなる。
【００１５】
また、この制御部２０には、図３に示すように、伝送路２３側の端部（同図上端部）領域に着脱自在なクリップ部材３１が取り付けられていると共に、伝送路２３と反対側の端部（同図下端部）領域に開閉可能な蓋部材３３が取り付けられている。この蓋部材３３は、制御部２０に対して電源供給を行う電池１００を収めるためのものである（同図（ｂ）参照）。
【００１６】
さらに、この制御部２０には、図４（ａ）に示すように、一方の側面側に電池１００による電源供給を開始させるための電源スイッチ３５が設けられており、同図（ｂ）に示すように、他方の側面側にマイク３７とマイク３７の感度調整用ボリューム３９とが設けられている。
【００１７】
この制御部２０は、マイク３７から感度調整用ボリューム３９で調整されたレベル以上の音声が入力されている状態において、そのレベルに応じた発光指令を発光シート１０側に指令する。発光シート１０は、この発光指令を受けている間、発光面１１を発光させる。このとき、複数段階の強度で発光可能な素子が発光面１１に採用されている場合であれば、発光指令で規定されるレベルに応じた強度により、発光面１１を発光させるように構成してもよい。
（２）作用，効果
このように構成された発光装置１であれば、着脱部材１７により着脱可能なシート状の発光シート１０を衣類など対象物に着脱することができるため、発光面１１のデザインを異ならせたものを複数用意しておくことにより、発光シート１０を取り替えて容易にデザインを変更することができる。そして、この発光面１１は、制御部２０からの指令を受けて発光することから、発光面１１のデザインを発光させるといった変化を実現することもできる。
【００１８】
また、上記構成であれば、発光シート１０において伝達面１３との間に発光面１１を挟む位置関係で保護シート１９が設けられているため、発光面１１への直接的な接触による損傷を防止することができる。
【符号の説明】
【００１９】
１…発光装置、１０…発光シート、１１…発光面、１３…伝達面、１５…シート側接続部、１７…着脱部材、１９…保護シート、２０…制御部、２１…指令部、２３…伝送路、３１…クリップ部材、３３…蓋部材、３５…電源スイッチ、３７…マイク、３９…感度調整用ボリューム、１００…電池。
【図１】
0003179154.tif 000003
【図３】
0003179154.tif 000004
【図４】
0003179154.tif 000005
【図２】
0003179154.tif 000006